(57)【要約】      （修正有）【課題】頭髪から顔面への薬液の垂れ落ちを防止する液だれ防止具であって、額への密着性が高く、素早く装着でき、かつ安価な液だれ防止具を提供する。【解決手段】額に装着して、毛髪に適用された毛髪処理剤が顔面に至ることを防止するための液だれ防止具１００は、織布又は不織布からなり、額に付着されるシート部１と、シート部に連結されて、シート部を額に保持するための保持紐２とを有する。シート部に液体が含浸される。【選択図】図１
0003195222.tif 000002
【実用新案登録請求の範囲】
【請求項１】
額に装着して、毛髪に適用された毛髪処理剤が顔面に至ることを防止するための液だれ防止具であって、
織布又は不織布からなり、額に付着されるシート部と、
前記シート部に連結されて、前記シート部を額に保持するための保持紐とを有し、
前記シート部に液体が含浸されている液だれ防止具。
【請求項２】
前記シート部は、長手方向と短手方向とを有する矩形状であり、
前記保持紐は、上保持紐と下保持紐とを有し、
前記上保持紐は、前記シート部の短手方向の一端近傍において、前記シートの長手方向全域に渡って前記シート部に取り付けられており、
前記下保持紐は、前記シート部の短手方向の他端近傍において、前記シートの長手方向全域に渡って前記シート部に取り付けられている請求項１に記載の液だれ防止具。
【請求項３】
前記シート部は不織布である請求項１又は２に記載の液だれ防止具
【請求項４】
前記液体は、化粧水または美容液である請求項１〜３のいずれか一項に記載の液だれ防止具。
【請求項５】
前記シート部の一面全体に不透水性フィルムが配置されている請求項１〜４のいずれか一項に記載の液だれ防止具。
【考案の詳細な説明】
【技術分野】
【０００１】
本考案は、液だれ防止具に関する。
【背景技術】
【０００２】
頭髪にパーマネント（パーマ）をかける方法としては、薬液を使用する方法、熱を使用する方法、薬液と熱を併用する方法など様々なものが用いられている。中でも理容室や美容室において広く用いられているのは、薬液（パーマ液、パーマ剤）を使用して頭髪の化学的構造を変化させ、これにより所望のヘアスタイルを得る方法である。
【０００３】
パーマ液を用いて頭髪の化学的構造を変化させるためには、頭髪にパーマ液を適用した後、室温のまま、又は頭髪を加熱して一定時間待機する必要がある。この時、頭髪に適用したパーマ液が垂れ落ちて顔面に至ると不快であるため、一般には額にタオルを巻いてこれを防止する。その他、高吸水性繊維を含有する不織布をバンド状に形成したパーマ液吸収材を額に巻き、パーマ液の顔面への到達を防止することも提案されている（特許文献１）。
【先行技術文献】
【特許文献】
【０００４】
【特許文献１】特開平６−１３３８１５号
【考案の概要】
【考案が解決しようとする課題】
【０００５】
理容室、美容室では、顧客にパーマを施術する際には、タオルを顧客の額に巻いてパーマ液の垂れ落ちを防止している。しかし、一人の顧客のパーマが完成するまでには３枚以上のタオルを使用することも多く、パーマを希望する顧客が多ければ、営業中に大量の使用済タオルが発生する。更に、パーマ液は強い臭いを発するため、タオルに付いたパーマ液の臭いを完全に取ることが難しい。そのため、パーマ施術により発生した使用済みタオルの洗濯、乾燥は、理容室、美容室にとって手間のかかる作業となっている。
【０００６】
また、タオルを巻くだけではパーマ液の液だれを完全に防ぐことは難しく、顧客の顔面にパーマ液が垂れ落ち、不快な思いをさせてしまうという問題も生じている。特に、タオル交換時のパーマ液の液だれにより顧客に不快な思いをさせてしまうことが多い。
【０００７】
これに対して特許文献１のパーマ液吸収剤を使用することが考えられるが、特別なポリマーを用いており費用がかかるため、理容室、美容室にとって最適な選択肢とならないことも多い。
【０００８】
本考案は、上記の課題を解決することを主な目的とするものであり、頭髪から顔面への薬液の垂れ落ちを防止する液だれ防止具であって、額への密着性が高く、素早く装着でき、かつ安価な液だれ防止具を提供することを目的とする。
【課題を解決するための手段】
【０００９】
本考案の態様に従えば、
額に装着して、毛髪に適用された毛髪処理剤が顔面に至ることを防止するための液だれ防止具であって、
織布又は不織布からなり、額に付着されるシート部と、
前記シート部に連結されて、前記シート部を額に保持するための保持紐とを有し、
前記シート部に液体が含浸されている液だれ防止具が提供される。
【００１０】
本考案の液だれ防止具は、シート部に液体が含浸されているため、素早く使用者の額に付着することができ、かつ額に良好に密着させることができる。また、シート部に連結された保持紐を有するため、付着したシート部を良好に額上に保持することができる。
【００１１】
本考案の液だれ防止具において、前記シート部は、長手方向と短手方向とを有する矩形状であってもよく、前記保持紐は上保持紐と下保持紐とを有してもよく、前記上保持紐は前記シート部の短手方向の一端近傍において前記シートの長手方向全域に渡って前記シート部に取り付けられていてもよく、前記下保持紐は前記シート部の短手方向の他端近傍において前記シートの長手方向全域に渡って前記シート部に取り付けられていてもよい。これにより保持紐によってシート部を好適に使用者の額に密着させることができ、薬液の使用者の顔面への垂れ落ちを好適に防ぐことができる。
【００１２】
本考案の液だれ防止具において、前記シート部は不織布であってもよく、また前記液体は化粧水または美容液であってもよい。
【００１３】
本考案の液だれ防止具において、前記シート部の一面全体に不透水性フィルムが配置されていてもよい。これにより、シート部の液体によって保持紐を濡らすことなく、非通気性袋の中に液だれ防止具全体を収容することが可能となる。
【考案の効果】
【００１４】
本考案によれば、額への密着性が高く、素早く装着でき、かつ安価な液だれ防止具を提供することができる。
【図面の簡単な説明】
【００１５】
【図１】図１は、本考案の実施形態に係る液だれ防止具の斜視図である。
【図２】図２（ａ）〜図２（ｃ）は、本考案の実施形態の液だれ防止具の使用状態を示す。
【図３】図３（ａ）、図３（ｂ）は、本考案の実施形態に係る液だれ防止具を個別包装した状態を示す斜視図である。
【図４】図４は、本考案の変形例の液だれ防止具を上から見た様子を示す。
【図５】図５は、折りたたんだ状態の本考案の変形例の液だれ防止具を上から見た様子を示す。
【考案を実施するための形態】
【００１６】
＜第１実施形態＞
図１〜図５を参照して、本考案の実施形態について説明する。
【００１７】
図１に示すように、本実施形態の液だれ防止具１００は、シート部１と、保持紐２からなる。液だれ防止具１００は、図２（ａ）に示すように、長方形のシート部１が使用者の額を覆うように使用される。本明細書では、この使用状態に従い、図１におけるシート部１の長辺方向、短辺方向、厚さ方向を、それぞれ、液だれ防止具１００及びシート部１の水平方向、上下方向、前後方向と呼ぶ。
【００１８】
前述のようにシート部１は長方形であり、標準的な大人の額を概ね覆うような寸法を有する。具体的には例えば長辺方向１４ｃｍ〜２０ｃｍ、短辺方向３ｃｍ〜５ｃｍにし得るが、女性用、男性用に分類して、あるいは大、中、小に分類して、使用者の額に応じた数種類の大きさを用意してもよい。シート部１１の厚さは、吸収して保持すべき薬剤の量に基づき適宜調整することができるが、例えば２ｍｍ〜５ｍｍにし得る。
【００１９】
シート部１は、不織布により形成されている。本明細書において不織布とは「繊維を3次元構造に重ねあわせ結合した多孔質のシート」を意味し、脱脂綿を含む概念である。不織布を形成する繊維としては、一例としてパルプ繊維、レーヨン繊維、ポリエステル繊維、綿繊維等を用いることができ、これらの任意の組合せも用いることができる。
【００２０】
シート部１は、正面を向いて座った状態の使用者の額にシート部１を貼付（付着）した際に、数秒程度は落下せずに額に保持される程度に水分を含む、すなわち液体が含浸されていることが望ましい。シート部１が水分を含むことにより、液だれ防止具１００の装着が容易となるとともに、使用者の額とシート部１との間の密着性が高まり、液だれがより好適に防止される。
【００２１】
保持紐２は、上保持紐２１と下保持紐２２を有する。上保持紐２１は、シート部１の前面１ａの上辺１ｕの近傍に、上辺１ｕに沿って、シート部１の水平方向全域に渡ってシート部１に取り付けられている。また、シート部１の水平方向の一端から外側に延びる上保持紐２１は、シート部１の水平方向の他端から外側に延びる上保持紐２１と接続されており、環を形成している。下保持紐２１は、シート部１の前面１ａの下辺１ｄ近傍に、下辺１ｄに沿って、シート部１の水平方向全域に渡ってシート部１に取り付けられている。また、シート部１の水平方向の一端から外側に延びる下保持紐２２は、シート部１の水平方向の他端から外側に延びる下保持紐２２と接続されており、環を形成している。また図１に示されるように、上保持紐２１と下保持紐２２とは、これらを円環として見た時にシート部１の水平方向中央部から１８０度離間した位置２３において、互いに接着されている。
【００２２】
保持紐２は、任意の弾性部材で形成することができるが、マスクやヘアゴムと同様に、弾性部材を芯としてその周囲に繊維を配置したゴム紐を用いることが望ましい。これにより、頭髪が保持紐２に巻きつくことを防止することができる。また、保持紐２は、使用者の髪を押し付けてクセを与えないように、装着時に使用者の頭部を締めすぎない程度の長さを有することが望ましい。
【００２３】
次に、液だれ防止具１００の使用方法を説明する。液だれ防止具１００を装着する際には、図２（ａ）のように、使用者の額にシート部１の後面１ｂを密着させ、シート部１を使用者の後頭部に回した保持紐２で保持する。保持紐２の回し方は任意であり、図２（ｂ）のように使用者の耳の上側を通過させて首の後ろに回してもよい。保持紐２は、シート部１の上辺１ｕ近傍において水平方向全域に渡ってシート部１に取り付けられた上保持紐２１と、シート部１の下辺１ｄ近傍において水平方向全域に渡ってシート部１に取り付けられた下保持紐２２とを有するため、いずれの回し方によっても、シート部１を使用者の額に密着させた状態で保持することができる。その後、液だれ防止具１００を覆うように使用者の頭部にタオルを巻きつける。
【００２４】
本実施形態の液だれ防止具１００の効果をまとめると次の通りである。
【００２５】
本実施形態の液だれ防止具１００は、シート部１が水分を含んでいるためシート部１を使用者の額に貼付した際、少なくとも数秒間はシート部１が落下しない。よって液だれ防止具１００の装着が容易である。この点は、顧客の顔にパーマ液が垂れさがることのないよう、素早く液だれ防止具１００の交換を行うことが求められる理容室、美容室において特に有利である。
【００２６】
また本実施形態の液だれ防止具１００は、水分を含んだシート部１が使用者の額に密着し、使用者の顔面に垂れ落ちようとするパーマ液を、使用者の額において好適に遮る。また同時に、シート部１の水分によって、使用者に涼感を与えることができる。
【００２７】
本実施形態の液だれ防止具１００は、上保持紐２１、下保持紐２２が、シート部１の前面１ａの上辺１ｕ近傍及び下辺１ｄ近傍において、シート部１の水平方向全域に渡ってシート部１に取り付けられている。よって、保持紐２によってシート部１を好適に使用者の額に密着させることができ、パーマ液の使用者の顔面への垂れ落ちを好適に防ぐことができる。
【００２８】
本実施形態の液だれ防止具１００は、不織布で形成されたシート部１が、使用者の頭髪から垂れ落ちたパーマ液を吸収して、使用者の顔面への垂れさがりを防止する。このようにシート部１が所定量のパーマ液を吸収するため、タオルへのパーマ液の付着を最小限に留めることができる。
【００２９】
次に、本実施形態の液だれ防止具１００の製造方法について簡単に言及する。本実施形態の液だれ防止具１００は、シート部１を準備する工程と、これに保持紐２を取り付ける工程によって容易に形成することができる。
【００３０】
液だれ防止具１００は、使用時までシート部１の水分を好適に保てるように、個別に包装することが望ましい。包装する方法は任意であるが、一例として、図３（ａ）に示すように、保持紐２を外部に存在させた状態で、シート部１のみを非通気性袋５００に収容することができる。この包装方法によれば、保持紐２がシート部１の水分によって湿ることを防止できる。または、図３（ｂ）に示すように、シート部１と保持紐部２とを共に非通気性袋５００に収容してもよい。
【００３１】
なお、本実施形態の液だれ防止具１００において含浸される液体は任意であり、シート部１は水分に加えて防腐剤、保湿剤、湿潤剤を含んでいてもよい。またシート部１は、液体として化粧水や美容液を含んでいてもよい。これにより、パーマ施術中に、使用者の額に美肌効果を与えることができる。また、本実施形態の液だれ防止具１００において、シート部１はメントールを含んでいてもよい。これにより、使用者に与える涼感をより一層高めることができる。
【００３２】
なお、本実施形態の液だれ防止具１００において、シート部１を形成する不織布として脱脂綿を用いても良い。脱脂綿を用いることで、より多くのパーマ液を吸収することができる。また、シート部１は、織布であってもよい。シート部１の材料として好適に使用し得る、吸水性の高い織布の一例は綿ガーゼである。
【００３３】
なお、本実施形態の液だれ防止具１００において、保持紐２は弾性を有さなくても良い。
【００３４】
なお、本実施形態の液だれ防止具１００において、上保持紐２１、下保持紐２２は、必ずしもシート部１の水平方向全域に渡ってシート部１に取り付けられていなくてもよい。一例として、上保持紐２１、下保持紐２２は、シート部１の水平方向両端部のみにおいてシート部１に取り付けられていてもよい。また、本実施形態の上保持紐２１と下保持紐２２とは、シート部１の水平方向一端部から外側所定距離の位置、及びシート部１の水平方向他端部から外側所定距離の位置で、それぞれ一本に合流していてもよい。また保持紐２は、上保持紐２１又は下保持紐２２のいずれか一方のみによって構成されていてもよい。この場合、上保持紐２１又は下保持紐２２は、シート部１の上下方法中央部において、シート部１に取り付けられていてもよい。
保持紐２のその他の構成として、シート部１の一端部から外側に延びた上保持紐２１と下保持紐２２とが互いに連結され、かつシート部１の他端部から外側に延びた上保持紐２１と下保持紐２２とが互いに連結された保持紐２を用い得る。液だれ防止具１００がこの構造の保持紐２を有する場合は、図２（ｃ）に示すように、保持紐２を耳に引っかけて装着することができる。
【００３５】
なお、本実施形態の液だれ防止具１００において、上保持紐２１、下保持紐２２は、シート部１の後面１ｂ上においてシート部１に取り付けられていてもよく、シート部１の内部を貫通してシート部１に取り付けられていてもよい。
【００３６】
＜変形例＞
次に、本実施形態の液だれ防止具１００の変形例を記載する。
【００３７】
変形例の液だれ防止具２００は、図４に示すように、シート部１の前面１ａ上に、シート部１から剥離して取り外すことが可能な不透水フィルム３が設けられている点を除いては、実施形態の液だれ防止具１００と同様である。
【００３８】
不透水フィルム３は、シート部１の前面１ａの全面と保持紐２を覆って、取り外し可能に設けられている。そのため、変形例の液だれ防止具２００は、図５に示すように、液体が含浸されたシート部１を不透水フィルム３によって挟むように折り曲げ、この状態で非通気性袋（不図示）の中に収容することができる。このように収容することによって、シート部１に含浸された液体によって保持紐２を濡らすことなく、非通気性袋の中に液だれ防止具２００全体を収容することができる。
【００３９】
液だれ防止具２００を使用する際は、非通気性袋から液だれ防止具２００を取り出し、不透水フィルム３を剥離してシート部１から取り外した後に、使用者の額にシート部１の後面１ｂを密着させ、シート部１を使用者の後頭部に回した保持紐２で保持する。なお、液だれ防止具２００は、不透水フィルム３を取り外すことなく装着することも可能である。このようにして装着した場合は、シート部１に吸収されたパーマ液がタオルに移ることをより好適に防止することができる。
【００４０】
なお、上記の実施形態の説明においては、パーマ液を頭髪に適用する際に生じる液だれを防止するために、液だれ防止具１００、２００を用いるものとして説明したが、液だれ防止具１００、２００の用途はこれには限定されない。例えば、カラーリング剤、カール剤を頭髪に使用する際にも、本実施形態の液だれ防止具を使用して、これらの薬剤の顔面への垂れ落ちを防止することができる。また、液だれ防止具１００、２００は、理容室、美容室での使用に限られず、家庭でパーマ等を行う場合にも好適に使用できることはいうまでもない。
【産業上の利用可能性】
【００４１】
本考案の液だれ防止具によれば、理容室、美容室等において、顧客の頭部に薬液を適用するパーマ等の施術を容易にかつ低コストで行うことが可能となる。
【符号の説明】
【００４２】
１  シート部
２  保持紐
２１  上保持紐
２２  下保持紐
３  不透水性フィルム
１００、２００  液だれ防止具
５００  非通気性袋
【図１】
0003195222.tif 000003
【図２】
0003195222.tif 000004
【図３】
0003195222.tif 000005
【図４】
0003195222.tif 000006
【図５】
0003195222.tif 000007